(57)【要約】【課題】本発明は、所定個所が折曲げられて仕切体となる段ボールシートであって、仕切体の状態においてケース内部を４つ又は６つに分割することができ、かつ、設置位置で安定しやすい段ボールシートを提供することを課題とする。【解決手段】本発明に係る段ボールシート１は、第１乃至第４面２〜５と、複数の切込線６、７と、複数の折曲げ線８〜１４とを備えている。第１面２及び第４面５は、中央部分に挿入部１５、２１を有している。また、第２面３及び第３面４の側辺１７、１９は、鋸歯状になっている。折曲げ線８〜１４の部分を折曲げることで、第１乃至第４面２〜５は仕切板となる。また、段ボールシート１によって形成された仕切体は、鋸歯状の部分がケースに引っ掛かるため、設置位置で安定する。【選択図】図１
2008189336.tif 000002
【特許請求の範囲】
【請求項１】
所定個所が折曲げられて仕切体となる段ボールシートであって、
第１乃至第４面と、第１及び第２切込線と、第１乃至第５折曲げ線と、を備え、
前記第１面、第２面、第３面、乃至第４面は、その順で第１方向において連結され、
前記第１切込線は、前記第１面と前記第２面の境界線上において両端部のうち少なくとも一方の端部から中央部分に向かって所定長さまで形成され、
前記第２切込線は、前記第３面と前記第４面の境界線上において両端部のうち少なくとも一方の端部から中央部分に向かって所定長さまで形成され、
前記第１折曲げ線は、前記第２面と前記第３面の境界線上に形成され、
前記第２折曲げ線は、前記第１面と前記第２面の境界線上のうち前記第１切込線が形成されていない部分に形成され、
前記第３折曲げ線は、前記第３面と前記第４面の境界線上のうち前記第２切込線が形成されていない部分に形成され、
前記第４折曲げ線は、前記第１面において前記第１切込線の先端付近を基端として第１方向に伸延し、
前記第５折曲げ線は、前記第４面において前記第２切込線の先端付近を基端として第１方向に伸延し、
前記第１面は、前記第２折曲げ線に対応する位置に被仕切体が挿入される挿入部を有し、
前記第４面は、前記第３折曲げ線に対応する位置に被仕切体が挿入される挿入部を有する、ことを特徴とする段ボールシート。
【請求項２】
前記第２面及び前記第３面は、前記第１方向へ延びる側辺の少なくとも一部が鋸歯状になっている、請求項１に記載の段ボールシート。
【請求項３】
前記第１乃至第４面は、略矩形であって、かつ、前記第１方向と直角をなす第２方向における長さがそれぞれ略等しく、
前記第１切込線は、前記第１面と前記第２面の境界線上において両端部から中央部分に向かって所定長さまで形成され、
前記第２切込線は、前記第３面と前記第４面の境界線上において両端部から中央部分に向かって所定長さまで形成され、
前記第４折曲げ線は、前記第２方向において前記第１面を略三等分するとともに、前記挿入部と交差又は接し、
前記第５折曲げ線は、前記第２方向において前記第４面を略三等分するとともに、前記挿入部と交差又は接する、請求項２に記載の段ボールシート。
【請求項４】
第６及び第７折曲げ線をさらに備え、
前記挿入部は略円形状の円形孔であって、
前記第１面及び前記第４面は、該円形孔の形状に沿って第１方向に突出する突出片を有し、
前記第６折曲げ線は、前記第１面おける前記突出片の基端部分で前記第２方向へ伸延し、
前記第７折曲げ線は、前記第４面おける前記突出片の基端部分で前記第２方向へ伸延する、請求項１乃至３のうちいずれか一の項に記載の段ボールシート。
【請求項５】
前記第２面は、前記第２折曲げ線の近傍であって前記挿入部の前記第２方向位置に対応する位置に小孔を有し、
前記第３面は、前記第３折曲げ線の近傍であって前記挿入部の前記第２方向位置に対応する位置に小孔を有する、請求項１乃至５のうちいずれか一の項に記載の段ボールシート。
【発明の詳細な説明】
【技術分野】
【０００１】
本発明は、所定個所が折曲げられて仕切体となる段ボールシートに関する。
【背景技術】
【０００２】
複数の製品を梱包する際、その製品自体あるいは容器が割れやすい場合、互いが接触しないように、製品の間に仕切体（緩衝材）を挿入することがある。仕切体としては段ボールシートを利用することが多く、井形状等に組み立てて仕切体とするものや、所定個所を折り曲げてそれ自体が仕切体となるものがある。このうち、段ボールシートを組み立てて仕切体とするものは、組立作業が必要であるため、梱包作業が効率的に行うことができず、また、各段ボールシートは完全に結合しているわけではないので、全体の剛性が高くないという欠点があった。一方、段ボールシート自体が仕切体となるものは、組立作業よりも単純な折り曲げ作業で仕切体とすることができる場合が多く、一般的に剛性も高い。例えば、特許文献１には、単純な折り曲げ作業で仕切体となる段ボールシートが記載されている。
【特許文献１】特開平１１ー１０００２３号公報
【発明の開示】
【発明が解決しようとする課題】
【０００３】
ところが、特許文献１に記載されている段ボールシートは、成形の自由度が低いという欠点がある。例えば、均等な４分割や６分割にできる仕切体は比較的需要が高いが、特許文献１に記載されている段ボールシートでは、均等な４分割や６分割にできる仕切体とすることは困難である。これは、折曲げ作業のみで仕切体となる段ボールシートの多くが抱える問題である。
【０００４】
さらに、製品が機械を利用して段ボール箱に挿入される場合、仕切体の位置が変化しなことが重要になる。ところが、多くの仕切体は、挿入作業が簡単に行えるように、段ボール箱との間にはある程度余裕ができるように作られており、仕切体が段ボール箱に対してずれやすい傾向にある。
【０００５】
そこで本発明は、所定個所が折曲げられて仕切体となる段ボールシートであって、仕切体の状態においてケース内部を４つあるいは６つに分割することができ、また、設置位置で安定しやすい段ボールシートを提供することを目的としている。
【課題を解決するための手段】
【０００６】
本発明は上述のような事情に鑑みてなされたものであり、本発明にかかる段ボールシートは、所定個所が折曲げられて仕切体となる段ボールシートであって、第１乃至第４面と、第１及び第２切込線と、第１乃至第５折曲げ線と、を備え、前記第１面、第２面、第３面、乃至第４面は、その順で第１方向において連結され、前記第１面及び前記第４面は、中央部分に被仕切体が挿入される挿入部を有し、前記第１切込線は、前記第１面と前記第２面の境界線上において両端部のうち少なくとも一方の端部から中央部分に向かって所定長さまで形成され、前記第２切込線は、前記第３面と前記第４面の境界線上において両端部のうち少なくとも一方の端部から中央部分に向かって所定長さまで形成され、前記第１折曲げ線は、前記第２面と前記第３面の境界線上に形成され、前記第２折曲げ線は、前記第１面と前記第２面の境界線上のうち前記第１切込線が形成されていない部分に形成され、前記第３折曲げ線は、前記第３面と前記第４面の境界線上のうち前記第２切込線が形成されていない部分に形成され、前記第４折曲げ線は、前記第１面において前記第１切込線の先端付近を基端として第１方向に伸延し、前記第５折曲げ線は、前記第４面において前記第２切込線の先端付近を基端として第１方向に伸延し、前記第１面は、前記第２折曲げ線に対応する位置に被仕切体が挿入される挿入部を有し、前記第４面は、前記第３折曲げ線に対応する位置に被仕切体が挿入される挿入部を有することを特徴とする（請求項１）。
【０００７】
かかる構成によれば、第１折り曲げ線の部分を１８０度谷折りにし、その他の折り曲げ線の部分を９０度山折にすることで、第２面及び第３面が一体となって第２方向を仕切る仕切板の役割を果たし、第１面のうち第４折曲げ線で折り曲げられた部分及び第４面のうち第５折曲げ線で折り曲げられた部分が第１方向を仕切る仕切板の役割を果たすことができる。そのため、第１切込線及び第２切込線が一方の端部からのみ中央部分に向かう構成の場合、第２面及び第３面によって２つに分けられたエリアを、第１面及び第４面でさらにそれぞれ２つのエリアに分けることができる。また、第１切込線及び第２切込線が両方の端部から中央部分に向かう構成の場合、第２面及び第３面によって２つに分けられたエリアを、第１面及び第４面でさらにそれぞれ３つのエリアに分けることができる。
【０００８】
また、上記段ボールシートにおいて、前記第２面及び前記第３面は、前記第１方向へ延びる側辺の少なくとも一部が鋸歯状になるようにしてもよい（請求項２）。かかる構成によれば、第２面及び第３面の側縁部分のうち少なくとも一部が鋸歯状になっているため、仕切体としての段ボールシートを段ボール箱に入れた場合、鋸歯状の部分が段ボール箱の内側に引っ掛ることにより、仕切体をずれにくくすることができる。
【０００９】
また、上記段ボールシートにおいて、前記第１乃至第４面は、略矩形であって、かつ、前記第１方向と直角をなす第２方向における長さがそれぞれ略等しく、前記第１切込線は、前記第１面と前記第２面の境界線上において両端部から中央部分に向かって所定長さまで形成され、前記第２切込線は、前記第３面と前記第４面の境界線上において両端部から中央部分に向かって所定長さまで形成され、前記挿入部は前記第１面及び前記第４面の中央部分に位置し、前記第４折曲げ線は、前記第２方向において前記第１面を略三等分するとともに、前記挿入部と交差又は接し、前記第５折曲げ線は、前記第２方向において前記第４面を略三等分するとともに、前記挿入部と交差又は接するようにしてもよい（請求項３）。かかる構成によれば、被仕切体が挿入される部分の幅が均等である６分割用の仕切体とすることができる。
【００１０】
また、上記段ボールシートにおいて、第６及び第７折曲げ線をさらに備え、前記挿入部は略円形状の円形孔であって、前記第１面及び前記第４面は、該円形孔の形状に沿って第１方向に突出する円弧状の突出片を有し、前記第６折曲げ線は、前記第１面おける前記突出片の基端部分で前記第２方向へ伸延し、前記第７折曲げ線は、前記第４面おける前記突出片の基端部分で前記第２方向へ伸延するようにしてもよい（請求項４）。かかる構成によれば、挿入部分を最大限に大きくしても、突出片が挿入部分の周辺を補強するため、段ボールシートとしての剛性を維持することができる。よって、段ボールシートの取り扱いに悪影響を与えることもない。さらに、使用時には、第６及び第７折曲げ線を９０度谷折りにして段ボール箱に挿入できるので、突出片が邪魔にならないのと同時に、突出片が段ボール箱の内壁と当接するため、段ボールシートがずれたり、脱落したりするのを防止することができる。
【００１１】
また、上記段ボールシートにおいて、前記第２面は、前記第２折曲げ線の近傍であって前記挿入部の前記第２方向位置に対応する位置に小孔を有し、前記第３面は、前記第３折曲げ線の近傍であって前記挿入部の前記第２方向位置に対応する位置に小孔を有するようにしてもよい（請求項５）。かかる構成によれば、少孔に指を引っ掛けることができるため、折曲げ作業をやりやすくすることができる。
【発明の効果】
【００１２】
以上の説明から明らかなように、本発明によれば、第２面及び第３面によって２つに分けられたエリアを、第１面及び第４面でさらにそれぞれ２つのエリアに分けることができる。よって、仕切体の状態においてケース内部を４つに分割することができる。また、第２面及び第３面によって２つに分けられたエリアを、第１面及び第４面でさらにそれぞれ３つのエリアに分けることもできる。よって、仕切体の状態においてケース内部を６つに分割することができる。さらに、本発明によれば、鋸歯状の部分を有するため、仕切体をずれにくくすることができる。よって、仕切体を設置位置で安定させることができる。
【発明を実施するための最良の形態】
【００１３】
以下、本発明を実施するための最良の形態について図を参照して説明する。
【００１４】
まず、本発明の実施形態に係る段ボールシート１の構成について説明する。図１は本実施形態に係る段ボールシート１の平面図であって、（ａ）が表面であり、（ｂ）が裏面である。ここで、表面及び裏面のいずれの面においても破線で描かれている部分は罫線であり、いずれか一方の面が実線である部分は半切り線である。罫線及び半切り線の詳細については、後述する。図１に示すように、段ボールシート１は、第１乃至第４面２〜５と、第１及び第２切込線６、７と、第１乃至第７折曲げ線８〜１４と、を備えている。以下、各構成について詳細に説明する。なお、図１における上方向、下方向、左方向、右方向をそれぞれ段ボールシートの「後方向」、「前方向」、「左方向」、「右方向」として説明する。
【００１５】
第１面２は、使用時において前後の被仕切体Ａを仕切る部分である。図１に示すように、第１面２は段ボールシート１の最も左側に位置している。第１面２は、形状が略矩形であって、左右方向の幅を１とすると、前後方向の幅はおおよそ３の割合となっている。また、中央部分には、被仕切体Ａが挿入される挿入部１５を有している。挿入部１５は略円形状の円形孔であって、その直径は第１面２の左右方向の幅に略等しい。さらに、第１面２は中央部の左側において左側に突出する突出片１６を有している。この突出片１６の形状は、挿入部１５の形状に沿って円弧状となっている。なお、突出片１６は、円弧状でなく角形等別の形状としてもよい。
【００１６】
第２面３は、使用時において左右の被仕切体Ａを仕切る部分である。図１に示すように、第２面３は第１面２の右側に位置しており、第１面２と結合している。第２面３は、その形状が略矩形であって、前後の辺（側辺）１７が鋸歯状になっている。また、鋸歯状の部分を形成する各鋸歯の中心軸は、第２面３の中心部分から見た場合、前後方向（第２方向）に対して左側（第１面側）に傾斜している。つまり、後側の鋸歯は左側後方に傾斜しており、前側の鋸歯は左側前方に傾斜している。さらに、第２面３は、第２折曲げ線９の近傍であって前後方向（第２方向）中央付近に小孔１８を有している。小孔１８は、人差し指等を引っ掛けることができるように適度な大きさの穴を設けたもので、手が滑ることなく作業を容易に行うことができる。
【００１７】
第３面４は、使用時において左右の被仕切体Ａを仕切る部分である。図１に示すように、第３面４は第２面３の右側に位置しており、第２面３と結合している。第３面４は、その形状が略矩形であって、前後の辺（側辺）１９が鋸歯状になっている。また、鋸歯状の部分を形成する各鋸歯の中心軸は、第３面４の中心部分から見た場合、前後方向（第２方向）に対して右側（第４面側）に傾斜している。つまり、後側の鋸歯は右側後方に傾斜しており、前側の鋸歯は右側前方に傾斜している。さらに、第３面４は、第３折曲げ線１０の近傍であって前後方向（第２方向）中央付近に小孔２０を有している。小孔２０の直径は、人差し指等を引っ掛けることができるように適度な大きさの穴を設けたもので、手が滑ることなく作業を容易に行うことができる。なお、本実施形態において、第３面４と第２面３とが鏡面対称となっている。つまり、第３面４と第２面２を重ね合せると、それらの形状が完全に一致する。
【００１８】
第４面５は、使用時において前後の被仕切体Ａを仕切る部分である。図１に示すように、第４面５は段ボールシート１の最も右側に位置しており、第３面４と結合している。第４面５は、形状が略矩形であって、左右方向の幅を１とすると、前後方向の幅はおおよそ３の割合となっている。また、中央部分に被仕切体Ａが挿入される挿入部２１を有している。挿入部２１は略円形状の円形孔であって、その直径は第４面５の左右方向の幅に略等しい。さらに、第４面５は中央部の右側において右側に突出する突出片２２を有している。この突出片２２の形状は、挿入部２１の形状に沿って円弧状となっている。なお、突出片２２は、円弧状でなく角形等別の形状としてもよい。また、本実施形態において、第４面５と第１面２とは、鏡面対称となっている。
【００１９】
なお、図１に示すように、第１面２、第２面３、第３面４、及び第４面５は、左右方向（第１方向）においてこの順に連結されている。また、第１乃至第４面２〜５は、前後方向（第２方向）における長さがそれぞれ略等しく、左右方向（第１方向）における長さも略等しくなっている。
【００２０】
第１切込線６は、切込加工が施されている部分である。図１に示すように、第１切込線６は、第１面２と第２面３の境界線上のうち、前側と後側の２つの部分に形成されている。具体的には、前側の端部から中央部分に向かって形成されるものと、後側の端部から中央部分に向かって形成されるものがある。いずれもその長さは、境界線の長さの３分の１程度である。さらに、第１切込線６は幅を有しており、その幅の大きさは段ボールシート１の厚さ程度である。
【００２１】
第２切込線７は、切込加工が施されている部分である。図１に示すように、第２切込線７は、第３面４と第４面５の境界線上のうち、前側と後側の２つの部分に形成されている。具体的には、前側の端部から中央部分に向かって形成されるものと、後側の端部から中央部分に向かって形成されるものがある。いずれもその長さは、境界線の長さの３分の１程度である。さらに、第２切込線７は幅を有しており、その幅の大きさは段ボールシート１の厚さ程度である。
【００２２】
第１折曲げ線８は、折曲げ加工が施されている部分である。図１に示すように、第１折曲げ線８は、第２面３と第３面４の境界線上の全範囲に形成されている。ここで、折曲げ加工には、罫線を形成する罫線加工と、半切りを形成する半切り加工がある。このうち罫線は、山折り及び谷折りのいずれの方向にも折曲げやすいように加工されたものである。一方、半切りは、一方の面側から他方の面側の表面だけを残して切込まれたものであって、山折り及び谷折りのいずれか一方の方向にのみ折曲げやすく、折曲げによる反発力はほとんど発生しない。本実施形態において、第１折曲げ線８には半切り加工が施されている。図１（ａ）では第１折曲げ線８が破線によって表わされており、図１（ｂ）では第１折曲げ線８が実線で表わされている。このうち、実線で表わされた裏面側が切込まれている部分である。つまり、表面側から見た場合、第１折曲げ線８は谷折り方向に折曲げやすくなっている。
【００２３】
第２折曲げ線９は、折曲げ加工が施されている部分である。図１に示すように、第２折曲げ線９は、第１面２と第２面３の境界線上のうち中央付近に形成されている。具体的には、第１面２と第２面３の境界線上のうち、前側から３分の１の位置と後側から３分の１の位置との間に形成されている。つまり、第１面２と第２面３の境界線上のうち第１切込線６が形成されていない部分に形成さされている。ただし、図１に示すように、第１面２と第２面３の境界線が挿入部１５に交差している場合、この交差している間には第２折曲げ線９が形成されていない。なお、第２折曲げ線９の折曲げ加工は、罫線加工である。
【００２４】
第３折曲げ線１０は、折曲げ加工が施されている部分である。図１に示すように、第３折曲げ線１０は、第３面４と第４面５の境界線上のうち中央付近に形成されている。具体的には、第３面４と第４面５の境界線上のうち、前側から３分の１の位置と後側から３分の１の位置との間に形成されている。つまり、第３面４と第４面５の境界線上のうち第２切込線７が形成されていない部分に形成さされている。ただし、図１に示すように、第３面４と第４面５の境界線が挿入部２１に交差している場合、この交差している間には第３折曲げ線１０が形成されていない。なお、第３折曲げ線１０の折曲げ加工は、罫線加工である。
【００２５】
第４折曲げ線１１は、折曲げ加工が施されている部分である。図１に示すように、第４折曲げ線１１は、第１面２において挿入部１５の前後に２つ形成されている。第４折曲げ線１１は、第１切込線６の先端付近を基端として左右方向（第１方向）に伸延している。ここで、第１切込線６はいずれもその長さが境界線の長さの３分の１程度であるため、第４折曲げ線１１は、前後方向（第２方向）において第１面２を三等分していることになる。なお、第４折曲げ線１１は、挿入部１５と交差するが、この交差している部分では第４折曲げ線１１は形成されていない。また、第４折曲げ線１１の折曲げ加工は、罫線加工である。
【００２６】
第５折曲げ線１２は、折曲げ加工が施されている部分である。図１に示すように、第５折曲げ線１２は、第４面５において挿入部２１の前後に２つ形成されている。第５折曲げ線１２は、第２切込線７の先端付近を基端として左右方向（第１方向）に伸延している。ここで、第２切込線７はいずれもその長さが境界線の長さの３分の１程度であるため、第５折曲げ線１２は、前後方向（第２方向）において第４面５を三等分していることになる。なお、第５折曲げ線１２は、挿入部２１と交差するが、この交差している部分では第５折曲げ線１２は形成されていない。また、第５折曲げ線１２の折曲げ加工は、罫線加工である。
【００２７】
第６折曲げ線１３は、折曲げ加工が施されている部分である。図１に示すように、第６折曲げ線１３は、第１面２おける突出片１６の基端部分において前後方向（第２方向）へ伸延している。なお、第６折曲げ線１３は、挿入部１５と交差するが、この交差している部分では第６折曲げ線１３は形成されていない。また、第６折曲げ線１３上の折曲げ加工は、裏面側が切込まれている半切り加工である。そのため、表面側から見た場合、第６折曲げ線１３は谷折りしやすくなっている。
【００２８】
第７折曲げ線１４は、折曲げ加工が施されている部分である。図１に示すように、第７折曲げ線１４は、第４面５おける突出片２２の基端部分において前後方向（第２方向）へ伸延している。なお、第７折曲げ線１４は、挿入部２１と交差するが、この交差している部分では第７折曲げ線１４は形成されていない。また、第７折曲げ線上１４の折曲げ加工は、裏面側が切込まれている半切り加工である。そのため、表面側から見た場合、第７折曲げ線１４は谷折りしやすくなっている。
【００２９】
以上が本実施形態にかかる段ボールシート１の構成である。本実施形態では、挿入部１５、２１の直径が第１面２及び第４面５の幅程度まで最大限に大きくしているが、これによって生じる剛性の低下を突出片１６、２２によって補っている。よって、段ボールシート１を持ち運ぶ際に、曲がったり、ねじれたりすることがなく、取り扱いが不便になるようなことはない。また、段ボールシート１に形成された半切り（第１折曲げ線８、第６折曲げ線１３、及び、第７折曲げ線１４）は、同じ面側（裏面側）が切り欠かれるようにしているため、切り欠かれている面（裏面）を下側にして扱えば、段ボールシート１が半切り部分で折り曲がることもない。
【００３０】
次に本実施形態にかかる段ボールシート１の使用方法について説明する。
【００３１】
まず、図２に示すように、図１の段ボールシート１を第１折曲げ線８、第２折曲げ線９、及び、第３折曲げ線１０に沿って折曲げる。なお、折曲げる方向は、図１（ａ）の段ボールシート１の状態において（表面側からみた状態において）、第１折曲げ線８は谷折りであり、第２折曲げ線９、及び、第３折曲げ線１０は山折りである。なお、折曲げ作業は、手作業によって行われる。このとき、第２面３及び第３面４に形成された小孔１８、２０に人差し指等を引っ掛けることで、作業を容易に行うことができる。
【００３２】
次に、図３に示すように、図２の段ボールシート１の状態から、さらに第２面３と第３面４とが接するまで第１折曲げ線８の部分を折曲げる。つまり、第１折曲げ線８を１８０度折曲げる。このとき、第２面３と第３面４とは鏡面対称であるため、段ボールシート１の側辺１７、１９の鋸歯の形状が一致する。また、図３に示すように、第１面２が第２面３に対して直角になるまで、及び、第４面５が第３面４に対して直角になるまで折曲げる。これにより、第１面２と第４面５とが同一平面上に位置することになる。
【００３３】
次に、図４に示すように、図３の段ボールシート１の状態から、さらに第１面２を第４折曲げ線１１に沿って折曲げ、第４面５を第５折曲げ線１２に沿って折曲げる。折曲げ方向は、図３の段ボールシート１の状態において（表面側からみた状態において）山折りであって、折曲げ角度は９０度である。このように折曲げると、第１面２のうち前側３分の１の部分と後側３分の１の部分とが平行の関係になり、第４面５のうち前側３分の１の部分と後側３分の１の部分とが平行の関係になる。第１面２と第４面５は鏡面対称であるため、第１面２の前側３分の１の部分と第４面５の前側３分の１の部分とが同一平面上に位置し、第１面２の後側３分の１の部分と第４面５の後側３分の１の部分とが同一平面状に位置することになる。また、図４に示すように、第６折曲げ線１３及び第７折曲げ線１４を谷折りで９０度折曲げる。これにより、第１面２の突出片１６と第４面５の突出片２２とが平行の関係になる。
【００３４】
次に、図５に示すように、段ボール箱Ｂに図５の状態の段ボールシート１を挿入する。段ボール箱Ｂは、前後方向における内部寸法が、第２面３及び第３面４の前後方向の段ボールシート１の寸法よりもわずかに小さいものを使用する。厳密に言えば、段ボール箱Ｂの前後方向における寸法は、第２面３及び第３面４の一方の側辺１７、１９のうち鋸歯の先端から、他方の側辺１７、１９のうち鋸歯の先端までの寸法よりも小さく、一方の側辺１７、１９のうち鋸歯の根本から、他方の側辺１７、１９のうち鋸歯の根本までの寸法よりも大きい段ボール箱Ｂを使用する。このように、段ボール箱Ｂの内部寸法よりも仕切体の寸法が大きい場合でも、可撓性を有する段ボールの特性から、仕切体を段ボール箱Ｂに挿入することができる。仕切体である段ボールシート１と段ボール箱Ｂとは上記のような寸法関係にあるため、一旦段ボール箱Ｂに段ボールシート１を挿入すると、鋸歯状の部分が段ボール箱Ｂの内部で引っかかり、ずれたり外れたりしにくくなる。また、図５に示すように、鋸歯の先端は挿入方向とは逆の方向に傾斜しているため、挿入時には鋸歯状の部分が引っ掛かりにくく、仕切体を容易に挿入することができる。
【００３５】
以上の作業で、段ボールシート１の折曲げ作業と挿入作業が完了する。このように本実施形態に係る段ボールシートによれば、簡単な折曲げ作業によって仕切体を作ることができる。また、前後方向に延びる折曲げ線のうち、第１折曲げ線８、第６折曲げ線１３、及び第７折曲げ線１４が半切りであって、第２折曲げ線７及び第３折曲げ線８が罫線である。つまり、左右方向において折曲げ線は半切りと罫線とが交互に配置されている。このように配置することで、正しい折曲げ方向に容易に折曲げることができる。
【００３６】
段ボール箱Ｂに段ボールシート１を挿入した後、図６に示すように被仕切体（製品）Ａを挿入する。なお、図６では段ボールシート１の状態がわかるように最前列に被仕切体Ａは挿入されていないが、この部分にも被仕切体Ａを挿入することができる。図６に示すように、第２面３及び第３面４が重なっている部分が左右に隣接する被仕切体Ａを仕切る仕切板の役割を果たし、第１面２及び第４面５の折曲げられた部分が前後方向に隣接する被仕切体Ａを仕切る仕切板の役割を果たしている。なお、第１面２及び第４面５の折曲げられた部分は均等間隔で並んでおり、第１面２の左右方向の幅と第４面５の左右方向の幅は等しくなっている。そのため、本実施形態にかかる段ボールシート１は段ボール箱Ｂの内部を６つに均等に分割しているといえる。
【００３７】
以上、本発明を実施するための最良の形態について図を参照して説明した。以上では、段ボール箱Ｂの内部を６つに分割する仕切体となる段ボールシート１について説明したが、これに替えて段ボール箱の内部を６つではなく４つに分割する仕切体となる段ボールシートとしてもよい。例えば、図１において第１切込線６が後側の端部から（一方の端部から）のみ中央部分まで延びるようにしてもよい。つまり、図１に示す段ボールシート１のうち、前側３分の１の部分がない段ボールシートとしてもよい。かかる構成によれば、図６に示す段ボール箱Ｂの前後方向の寸法が３分の２の寸法である段ボール箱を使用する場合、段ボール箱の内部を４つに分割することができる。
【産業上の利用可能性】
【００３８】
以上のように、本発明に係る段ボールシートは、仕切体の状態において４つ又は６つの被仕切体を仕切ることができ、また、設置位置で安定しやすい。よって、段ボール製の仕切体の技術分野において有益である。
【図面の簡単な説明】
【００３９】
【図１】本発明に係る段ボールシートの平面図であって、（ａ）が表面であり、（ｂ）が裏面である。
【図２】本発明に係る段ボールシートの使用方法を示した図である。
【図３】本発明に係る段ボールシートの使用方法を示した図である。
【図４】本発明に係る段ボールシートの使用方法を示した図である。
【図５】本発明に係る段ボールシートの使用方法を示した図である。
【図６】本発明に係る段ボールシートの使用方法を示した図である。
【符号の説明】
【００４０】
１  段ボールシート
２  第１面
３  第２面
４  第３面
５  第４面
６  第１切込線
７  第２切込線
８  第１折曲げ線
９  第２折曲げ線
１０  第３折曲げ線
１１  第４折曲げ線
１２  第５折曲げ線
１３  第６折曲げ線
１４  第７折曲げ線
１５  挿入部
１６  突出片
１７  側辺
１８  小孔
１９  側辺
２０  小孔
２１  挿入部
２２  突出片
Ａ  被仕切体
Ｂ  段ボール箱
【図１】
2008189336.tif 000003
【図２】
2008189336.tif 000004
【図３】
2008189336.tif 000005
【図４】
2008189336.tif 000006
【図５】
2008189336.tif 000007
【図６】
2008189336.tif 000008